【手続補正書】
【提出日】平成20年1月30日(2008.1.30)
【手続補正１】
【補正対象書類名】明細書
【補正対象項目名】発明の名称
【補正方法】変更
【補正の内容】
【発明の名称】画像解析方法、画像解析プログラム、及びそれらを有するパネル表示品位評価システム
【手続補正２】
【補正対象書類名】特許請求の範囲
【補正対象項目名】全文
【補正方法】変更
【補正の内容】
【特許請求の範囲】
【請求項１】
画像表示用パネル及びデジタル画像を得る手段を固定し、
前記パネルに一定パターンを表示して前記デジタル画像を得る手段にて撮影し、
前記デジタル画像を得る手段にて撮影された画像に基づいて前記パネルの画素座標を認識する
ことを特徴とする画像解析方法。
【請求項２】
画像表示用パネル及びデジタル画像を得る手段を固定し、
前記パネルに一定パターンを表示して前記デジタル画像を得る手段にて撮影し、
前記デジタル画像を得る手段にて撮影された第１の画像に基づいて前記パネルの中心の画素座標を認識し、
前記画素座標を基準として、前記デジタル画像を得る手段にて撮影された第２の画像に対する各画素の平均輝度を算出することを特徴とする画像解析方法。
【請求項３】
画素間に非表示エリアが規則的に存在する画像表示用パネル及びデジタル画像を得る手段を固定し、
前記パネルに一定パターンを表示して前記デジタル画像を得る手段にて撮影し、
前記デジタル画像を得る手段にて撮影された第１の画像に基づいて前記パネルの中心の画素座標を認識し、
前記画素座標を基準として、前記デジタル画像を得る手段にて撮影された第２の画像に対する各画素の平均輝度を算出して、前記第２の画像の各画素における輝度とし、
前記非表示エリアによるモアレの影響が抑えられた画素単位平均化画像を出力することを特徴とする画像解析方法。
【請求項４】
請求項２又は３において、
前記パネルにおける全面非表示の画像信号入力状態における表示を前記デジタル画像を得る手段にて撮影した画像をバックグラウンド画像とし、
前記バックグラウンド画像を、前記第１の画像に対して差分処理を行って、前記パネルの中心の画素座標を認識することを特徴とする画像解析方法。
【請求項５】
請求項２乃至４のいずれか一において、
任意の関数による近似曲線を用いて、前記パネルの中心の画素座標を認識することを特徴とする画像解析方法。
【請求項６】
請求項３乃至５のいずれか一において、
前記画素単位平均化画像は、前記パネルの中心の画素座標から所定の距離に含まれる範囲の画像を積算し平均化して作成することを特徴とする画像解析方法。
【請求項７】
請求項３乃至５のいずれか一において、
前記第１の画像から第１の画素単位平均化画像を作成し、
前記第１の画像からずれるように固定されて撮影された第３の画像から第２の画素単位平均化画像を作成し、
前記第１の画素単位平均化画像及び前記第２の画素単位平均化画像に対して差分処理を行うことを特徴とする画像解析方法。
【請求項８】
請求項２乃至７のいずれか一において、
前記画像表示用パネルが表示欠陥画素を有する場合、前記第２の画像に対して、正常画素と表示欠陥画素との境界を指す輝度に対する所定のしきい値を設定し、前記しきい値を用いて前記表示欠陥画素数をカウントする際、
前記表示欠陥画素が局所的に存在した領域における正常画素に対する前記表示欠陥画素の割合、前記表示欠陥画素の大きさ、又は前記表示欠陥画素の形状を分類した上で、前記割合、前記表示欠陥画素の大きさ、又は前記表示欠陥画素の形状毎にカウントすることを特徴とする画像解析方法。
【請求項９】
請求項８において、
前記割合、前記表示欠陥画素の大きさ、又は前記表示欠陥画素の形状毎にカウントした結果を、前記画素座標と共に出力することを特徴とする画像解析方法。
【請求項１０】
請求項８において、
前記しきい値を用いてカウントされた欠陥画素を色分けした画像を出力することを特徴とする画像解析方法。
【請求項１１】
請求項２乃至１０のいずれか一において、
前記画像表示用パネルは表示欠陥画素を有する場合、前記第２の画像における前記表示欠陥画素の位置と前記表示欠陥画素の画像データを保存し、
前記表示欠陥画素は周辺の非欠陥画素の画像データに置換してからぼかし処理を行った画像を作成し、
前記ぼかし処理を行った画像に対し、前記表示欠陥画素の位置に前記表示欠陥画素の画像データを上書きすることを特徴とする画像解析方法。
【請求項１２】
請求項１１において、
前記ぼかし処理を行った画像に対してコントラスト強調処理を行う場合、前記ぼかし処理から前記コントラスト強調処理までを一連の演算にて行うことを特徴とする画像解析方法。
【請求項１３】
請求項２乃至１２のいずれか一において、
カラー対応用のデジタル画像を得る手段を用いて前記第２の画像として撮影し、
前記第２の画像をＲＧＢ表色系、又はＸＹＺ表色系、又はその他の表色系の各要素に分離して画素単位平均化処理を行うことを特徴とする画像解析方法。
【請求項１４】
請求項８乃至１３のいずれか一において、
前記表示欠陥をカウントする前に、前記第２の画像における輝度分布の中央値が所定値になるように、前記第２の画像に補正を施すか、又は前記第２の画像における輝度の中央値と所定値との比率に従って前記しきい値に補正を施すことを特徴とする画像解析方法。
【請求項１５】
請求項２乃至１４のいずれか一において、
前記画像表示用パネルに関する情報を記載した第１のファイルと、前記第１の画像に関する情報を記載した第２のファイルと、前記第２の画像に関する情報を記載した第３のファイルと、前記したいずれかの画像解析方法における解析条件を記載した第４のファイルと、の組み合わせをリスト化し、
前記画素座標の認識から前記いずれかの画像解析までを連続処理することを特徴とする画像解析方法。
【請求項１６】
請求項１乃至１５のいずれか一において、
前記デジタル画像を得る手段はデジタルカメラであることを特徴とする画像解析方法。
【請求項１７】
請求項１乃至１６のいずれか一に記載の画像解析方法を有することを特徴とするパネル表示品位評価システム。
【請求項１８】
画像表示用パネルを、デジタル画像を得る手段を用いて撮影し、
前記デジタル画像を得る手段にて撮影された画像を解析するためのコンピュータを、前記デジタル画像を得る手段にて撮影された画像に基づいて前記パネルの画素座標を認識する手段、前記画素座標を基準に、前記パネルの各画素の平均輝度を算出する手段、前記算出された画素単位の平均輝度の値を、前記パネルの各画素における輝度とした画像を出力する手段として機能させるための画像解析プログラム。
【請求項１９】
画像表示用パネルを、デジタル画像を得る手段を用いて撮影し、
前記デジタル画像を得る手段にて撮影された第１の画像を解析するためのコンピュータを、前記第１の画像に基づいて前記パネルの画素の中心の画素座標を認識する手段、前記画素座標を基準として、デジタル画像を得る手段にて撮影された第２の画像に対する各画素の平均輝度を算出する手段、前記算出された画素単位の平均輝度の値を、前記パネルの各画素における輝度とした画像を出力する手段として機能させるための画像解析プログラム。
【請求項２０】
画素間に非表示エリアが規則的に存在する画像表示用パネルを、デジタル画像を得る手段を用いて撮影し、
前記デジタル画像を得る手段にて撮影された第１の画像を解析するためのコンピュータを、前記第１の画像に基づいて前記パネルの画素の中心の画素座標を認識する手段、前記画素座標を基準として、前記デジタル画像を得る手段にて撮影された第２の画素に対する各画素の平均輝度を算出する手段、前記第２の画像の各画素における輝度とし、前記算出された画素単位の平均輝度の値を、前記パネルの各画素における輝度とし、前記非表示エリアによるモアレの影響が抑えられた画素単位平均化画像を出力する手段として機能させるための画像解析プログラム。
【請求項２１】
請求項１９又は２０において、
前記コンピュータを、全面非表示の画像信号入力状態における表示をデジタル画像を得る手段にて撮影した画像をバックグラウンド画像とし、前記バックグラウンド画像を、前記デジタル画像を得る手段にて撮影された第１の画像に対して差分処理を行って、前記パネルの画素の中心の画素座標を認識する手段として機能させるための画像解析プログラム。
【請求項２２】
請求項１９乃至２１のいずれか一において、
前記コンピュータを、任意の関数による近似曲線を用いて、前記パネルの画素の中心の画素座標を認識する手段として機能させるための画像解析プログラム。
【請求項２３】
請求項１９乃至２２のいずれか一において、
前記コンピュータを、前記第１の画像から第１の画素単位平均化画像を作成し、前記第１の画像からずれるように固定されて撮影された第３の画像から第２の画素単位平均化画像を作成する手段、前記第１の画素単位平均化画像及び前記第２の画素単位平均化画像に対して差分処理を行う手段として機能させるための画像解析プログラム。
【請求項２４】
請求項１９乃至２３のいずれか一において、
前記コンピュータを、前記画素単位平均化画像を前記中心の画素座標から所定の距離に含まれる範囲の画像を積算して平均化して作成する手段として機能させるための画像解析プログラム。
【請求項２５】
請求項１９乃至２４のいずれか一において、
前記画像表示用パネルは表示欠陥画素をする場合、前記コンピュータを、前記第２の画像に対して、正常画素と表示欠陥画素との境界を指す輝度に対する所定のしきい値を設定する手段、前記しきい値を用いて前記表示欠陥画素数をカウントする手段として機能させ、
前記カウントする手段は前記表示欠陥画素が局所的に存在した領域の正常画素に対する前記表示欠陥画素の割合、前記表示欠陥画素の大きさ、又は前記表示欠陥画素の形状を分類する手段、前記割合、前記表示欠陥画素の大きさ、又は前記表示欠陥画素の形状毎にカウントすることを特徴とする画像解析プログラム。
【請求項２６】
請求項２５において、
前記コンピュータを、前記割合、前記表示欠陥画素の大きさ、又は前記表示欠陥画素の形状毎にカウントした結果を、前記画素座標と共に出力する手段として機能させるための画像解析プログラム。
【請求項２７】
請求項２５において、
前記コンピュータを、前記しきい値を用いてカウントされた欠陥画素を色分けした画像を出力する手段として機能させるための画像解析プログラム。
【請求項２８】
請求項１９乃至２７のいずれか一において、
前記画像表示用パネルが表示欠陥画素をする場合、前記第２の画像における前記表示欠陥画素の位置と前記表示欠陥画素の画像データを保存する手段、前記表示欠陥画素は周辺の非欠陥画素の画像データに置換してからぼかし処理を行って画像を作成する手段、前記ぼかし処理を行った画像に対し、前記表示欠陥画素の位置に前記表示欠陥画素の画像データを上書きする手段として機能させるための画像解析プログラム。
【請求項２９】
請求項２８において、
前記コンピュータを、前記ぼかし処理を行った画像に対してコントラスト強調処理を行う場合、前記ぼかし処理から前記コントラスト強調処理までを一連の演算にて行う手段として機能させるための画像解析プログラム。
【請求項３０】
請求項１９乃至２９のいずれか一において、
カラー対応用のデジタル画像を得る手段を用いて前記第２の画像として撮影し、
前記コンピュータを、前記第２の画像に対してＲＧＢ表色系、又はＸＹＺ表色系、又はその他の表色系の各要素に分離して画素単位平均化処理を行う手段として機能させるための画像解析プログラム。
【請求項３１】
請求項２５乃至３０のいずれか一において、
前記コンピュータを、前記表示欠陥をカウントする前に、前記第２の画像における輝度分布の中央値が所定値になるように前記第２の画像に補正を施すか、又は前記第２の画像における輝度の中央値と所定値との比率に従って前記しきい値に補正を施す手段として機能させるための画像解析プログラム。
【請求項３２】
請求項１９乃至３１のいずれか一において、
前記コンピュータを、前記画像表示用パネルに関する情報を記載した第１のファイルと、前記第１の画像に関する情報を記載した第２のファイルと、前記第２の画像に関する情報を記載した第３のファイルと、前記したいずれかの画像解析方法における解析条件を記載した第４のファイルと、の組み合わせをリスト化し、前記画素座標の認識から前記いずれかの画像解析までを連続処理する手段として機能させるための画像解析プログラム。
【請求項３３】
請求項１８乃至３２のいずれか一において、
前記デジタル画像を得る手段はデジタルカメラであることを特徴とする画像解析プログラム。
【請求項３４】
請求項１８乃至３３のいずれか一に記載の画素解析プログラムを記録した記録媒体を備えたコンピュータと、前記デジタル画像を得る手段と、前記パネルとを固定する手段と、前記パネルの駆動回路とを有することを特徴とするパネル表示品位評価システム。